(57)【要約】【課題】ユーザの意図しない操作による処理を防止する入力装置を提供する。【解決手段】入力装置１０１は、ユーザの操作を受け付けるタッチパネル１０４、ユーザの操作を受け付けるＮＦＣユニット１０７、及びＣＰＵ１０２を備える。ＣＰＵ１０２は、タッチパネル１０４が操作を受け付けた後に所定の時間待機する。ＣＰＵ１０２は、待機中にＮＦＣユニット１０７が操作を受け付けなければタッチパネル１０４が受け付けた操作に応じて処理を行う。ＣＰＵ１０２は、待機中にＮＦＣユニット１０７が操作を受け付ければＮＦＣユニット１０７が受け付けた操作に応じて処理を行い、タッチパネル１０４が受け付けた操作を無効にする。【選択図】図１
2015179311.tif 000002
【特許請求の範囲】
【請求項１】
ユーザの操作を受け付ける第１の入力インタフェースと、
ユーザの操作を受け付ける、前記第１の入力インタフェースとは異なる第２の入力インタフェースと、
前記第１の入力インタフェースが操作を受け付けた後に所定の時間待機し、待機中に前記第２の入力インタフェースが操作を受け付けなければ前記第１の入力インタフェースが受け付けた操作に応じて処理を行い、待機中に前記第２の入力インタフェースが操作を受け付ければ前記第２の入力インタフェースが受け付けた操作に応じて処理を行う処理手段と、を備えることを特徴とする、
入力装置。
【請求項２】
前記処理手段は、待機中に前記第２の入力インタフェースが操作を受け付ければ前記第１の入力インタフェースが操作を受け付けた操作を無効にすることを特徴とする、
請求項１記載の入力装置。
【請求項３】
前記所定の時間待機するか否かを判断するためのフラグを備えており、
前記処理手段は、前記フラグが第１の状態であれば前記第１の入力インタフェースが操作を受け付けた後に前記所定の時間待機し、第２の状態であれば待機することなく前記第１の入力インタフェースが受け付けた操作に応じて処理を行うことを特徴とする、
請求項１又は２記載の入力装置。
【請求項４】
前記第２の入力インタフェースが動作状態又は停止状態になることで、前記フラグの状態を切り替える制御手段を備えることを特徴とする、
請求項３記載の入力装置。
【請求項５】
前記第１の入力インタフェースは、タッチパネルであり、
前記制御手段は、前記タッチパネルの誤操作が生じる可能性のある領域に、処理に関連付けられたオブジェクトが表示されるときに前記フラグを前記第１の状態にし、前記オブジェクトが表示されないときに前記フラグを前記第２の状態にすることを特徴とする、
請求項４記載の入力装置。
【請求項６】
前記第１の入力インタフェースはタッチパネルであり、
前記処理手段は、前記タッチパネルが操作を受け付けた位置が前記タッチパネルの誤操作が生じる可能性のある領域に含まれるときに、前記所定の時間待機することを特徴とする、
請求項１〜４のいずれか１項記載の入力装置。
【請求項７】
前記タッチパネルは、静電容量式タッチパネルであることを特徴とする、
請求項５又は６記載の入力装置。
【請求項８】
前記第２の入力インタフェースは、ユーザが前記第２の入力インタフェースを操作するときに前記静電容量式タッチパネルをタッチする可能性のある、前記静電容量式タッチパネルの近傍に配置されることを特徴とする、
請求項７記載の入力装置。
【請求項９】
ユーザの操作を受け付ける第１の入力インタフェースと、ユーザの操作を受け付ける、前記第１の入力インタフェースとは異なる第２の入力インタフェースと、を備える入力装置により実行される方法であって、
前記第１の入力インタフェースが操作を受け付けた後に所定の時間待機するステップと、
待機中に前記第２の入力インタフェースが操作を受け付けなければ前記第１の入力インタフェースが受け付けた操作に応じて処理を行うステップと、
待機中に前記第２の入力インタフェースが操作を受け付ければ前記第２の入力インタフェースが受け付けた操作に応じて処理を行うステップと、を含むことを特徴とする、
入力制御方法。
【請求項１０】
ユーザの操作を受け付ける第１の入力インタフェースと、ユーザの操作を受け付ける、前記第１の入力インタフェースとは異なる第２の入力インタフェースとを備えるコンピュータを、
前記第１の入力インタフェースが操作を受け付けた後に所定の時間待機し、待機中に前記第２の入力インタフェースが操作を受け付けなければ前記第１の入力インタフェースが受け付けた操作に応じて処理を行い、待機中に前記第２の入力インタフェースが操作を受け付ければ前記第２の入力インタフェースが受け付けた操作に応じて処理を行う処理手段、
として機能させるコンピュータプログラム。
【発明の詳細な説明】
【技術分野】
【０００１】
本発明は、スキャナ、プリンタ、ファクシミリ等が統合された複合機等のＭＦＰ（Multi Function Peripheral/Multi Function Printer）に用いられる入力装置に関する。
【背景技術】
【０００２】
スマートフォンやタブレットＰＣ（Personal Computer）は、操作感が良好で、スムーズなタッチ操作が可能な静電容量式タッチパネルを入力装置として搭載する。ＭＦＰにおいても、入力装置が従来の抵抗膜式タッチパネルから静電容量式タッチパネルへ移行しつつある。静電容量式タッチパネルは、抵抗膜式タッチパネルよりも軽いタッチ操作で入力が可能であるために、ユーザの意図しない軽いタッチ操作であっても入力と判断することがある。そのためにＭＦＰは、ユーザの意図したタッチ操作であるか否かを正確に判断して入力制御を行う必要がある。特許文献１には、ユーザのタッチ操作の種別と操作画面に割り当てられたタッチ操作の種別とが一致する場合にのみ、タッチ操作を受け付けることで誤入力を防止する入力装置が開示される。
【先行技術文献】
【特許文献】
【０００３】
【特許文献１】特開２０１２−１８５７０３号公報
【発明の概要】
【発明が解決しようとする課題】
【０００４】
ＭＦＰの入力装置は、タッチパネルの近傍に、ユーザ認証を行うための認証カードから認証データを読み取るための認証ユニットを備えることがある。ユーザは、認証ユニットに認証カードを近接させて認証データを読み取らせる際に、タッチパネルを誤って操作（タッチ）する可能性がある。静電容量式タッチパネルの場合には、感度が高いために誤操作の可能性が高い。認証データの読み取りより先にタッチパネルを誤操作すると、誤操作に関する処理が先に行われて、ユーザ認証が後回しにされる。この場合、ユーザ認証させることが目的であっても、ユーザにとって意図しない入力が先に受け付けられたことになり、ユーザ認証が迅速に行えなくなる。また、意図しない入力により画面遷移が行われた場合には、ユーザ認証自体が行われないこともある。そのために入力装置は、認証カードからの認証データの読み取りとタッチパネルの操作とを確実に区別する必要がある。
【０００５】
本発明は、上記の問題を解決するために、ユーザの意図しない操作による処理を防止する入力装置を提供することを主たる課題とする。
【課題を解決するための手段】
【０００６】
上記課題を解決する本発明の入力装置は、ユーザの操作を受け付ける第１の入力インタフェースと、ユーザの操作を受け付ける、前記第１の入力インタフェースとは異なる第２の入力インタフェースと、前記第１の入力インタフェースが操作を受け付けた後に所定の時間待機し、待機中に前記第２の入力インタフェースが操作を受け付けなければ前記第１の入力インタフェースが受け付けた操作に応じて処理を行い、待機中に前記第２の入力インタフェースが操作を受け付ければ前記第２の入力インタフェースが受け付けた操作に応じて処理を行う処理手段と、を備えることを特徴とする。
【発明の効果】
【０００７】
本発明によれば、第１の入力インタフェースが操作を受け付けた後に所定の時間待機し、待機中に受け付けた操作により、第１の入力インタフェース又は第２の入力インタフェースが受け付けた操作に応じた処理を行う。そのために、第１の入力インタフェースにユーザが意図しない操作を行った場合であっても、この操作による処理を防止することができる。
【図面の簡単な説明】
【０００８】
【図１】入力装置の構成図。
【図２】入力装置の外観図。
【図３】誤操作を防止するための入力制御処理を表すフローチャート。
【図４】操作画面の例示図。
【図５】操作画面の例示図。
【図６】誤操作を防止するための入力制御処理を表すフローチャート。
【発明を実施するための形態】
【０００９】
以下、図面を参照して実施の形態を詳細に説明する。
【００１０】
＜全体構成＞
図１は、本実施形態のＭＦＰの入力装置の構成図である。入力装置１０１は、ＭＦＰ本体１０８に接続されており、ユーザの操作に応じた指示をＭＦＰ本体１０８に送信する。ＭＦＰ本体１０８は、スキャナ、プリンタ、ファクシミリ等の機能を実現するためのハードウェア及びソフトウェアを備えており、入力装置１０１から送信された指示に応じて処理を行う。
【００１１】
入力装置１０１は、入力装置１０１全体の動作を制御するＣＰＵ（Central Processing Unit）１０２を備える。ＣＰＵ１０２は、例えばワンチップマイコン等であり、コンピュータプログラムを格納するＲＯＭ（Read Only Memory）及びコンピュータプログラム実行時の作業領域を提供するＲＡＭ（Random Access Memory）を内蔵する。ＣＰＵ１０２は通信ライン１０９を介してＭＦＰ本体１０８との間でコマンドやデータ等の送受信を行うことができる。送受信されるコマンドは、例えば、ユーザが入力装置１０１により入力するＭＦＰ本体１０８に対する動作指示である。
【００１２】
入力装置１０１は、ＣＰＵ１０２の他に、ＮＦＣ（Near Field Communication）ユニット１０７を備える。ＮＦＣユニット１０７は認証ユニットの一例であり、非接触ＩＣカードである認証カードから認証データ等のデータを読み取る。ＮＦＣユニット１０７は、認証カードからデータを読み取るためのアンテナを備える。ユーザがＭＦＰにログインする際に認証カードをＮＦＣユニット１０７に近接、若しくはタッチさせると、ＮＦＣユニット１０７は、認証データ等のデータを認証カードから取得する。ＮＦＣユニット１０７は、認証データ等のデータを認証カードから取得すると、認証データを読み取ったことを表す割込通知信号１１１をＣＰＵ１０２に通知する。
【００１３】
入力装置１０１は、この他に、タッチパネルコントローラ１０３、タッチパネル１０４、ＬＣＤ（Liquid Crystal Display）コントローラ１０５、ＬＣＤ１０６、及びキーユニット１１３を備える。ＮＦＣユニット１０７、タッチパネルコントローラ１０３、ＬＣＤコントローラ１０５は、バス１１４を介してＣＰＵ１０２に接続されており、ＣＰＵ１０２により、動作が制御される。
【００１４】
タッチパネルコントローラ１０３には、タッチパネル１０４が接続される。タッチパネル１０４は、例えば静電容量式タッチパネルであり、ユーザの指先が接触（タッチ）することにより生じる静電容量の変化により、タッチ位置を検出する。静電容量式タッチパネルは抵抗膜式タッチパネルより、より軽いタッチでユーザが操作可能である。タッチパネルコントローラ１０３は、タッチ位置の位置座標を検出する。位置座標を検出したタッチパネルコントローラ１０３は、タッチ位置を検出したことを表す割込通知信号１１２をＣＰＵ１０２に通知する。
【００１５】
ＬＣＤコントローラ１０５には、ＬＣＤ１０６が接続される。ＬＣＤコントローラ１０５は、ＭＦＰ本体１０８からビデオ転送ライン１１０を介して転送される画像をＬＣＤ１０６に表示させる。ＬＣＤコントローラ１０５は、ＬＣＤ１０６の解像度に合わせてＭＦＰ本体１０８から転送される画像の画像サイズの変更等を行う。また、ＬＣＤコントローラ１０５は、ＣＰＵ１０２からの指示により、ＬＣＤ１０６の輝度調整やバックライトの制御を行う。
【００１６】
キーユニット１１３は、機械的な複数のスイッチを備えており、コピー枚数等の設定を行うためのテンキーや、スタートキー等が配置される。ユーザは、キーユニット１１３のスイッチを押下することで、各キーを操作する。ＣＰＵ１０２は、キーユニット１１３の各スイッチをスキャンし、ユーザが押下したスイッチを検出する。
【００１７】
ＮＦＣユニット１０７、タッチパネル１０４、及びキーユニット１１３は各々異なる入力インタフェースであり、ユーザの操作を各々受け付ける。そのために、ＮＦＣユニット１０７、タッチパネル１０４、及びキーユニット１１３は、入力装置１０１の、ユーザが操作可能な位置に設けられる。図２は、入力装置１０１の外観図である。タッチパネル１０４は、操作画面が表示されるＬＣＤ１０６上に重ねられる。タッチパネル１０４の近傍には、ＮＦＣユニット１０７及びキーユニット１１３が配置される。操作画面はＭＦＰ本体１０８で生成される。ＬＣＤコントローラ１０５は、ビデオ転送ライン１１０を介してＭＦＰ本体１０８から操作画面を取得してＬＣＤ１０６に表示する。図２では、ＬＣＤ１０６に選択ボタン２０５を含む操作画面が表示される。選択ボタン２０５は、処理が関連付けられている。
【００１８】
ユーザが選択ボタン２０５をタッチすると、タッチパネル１０４はタッチされた位置座標を検知する。タッチパネル１０４は検知した位置座標をタッチパネルコントローラ１０３からバス１１４を介してＣＰＵ１０２に送る。ＣＰＵ１０２は、通信ライン１０９を介してＭＦＰ本体１０８に位置座標を送る。ＭＦＰ本体１０８は、送られてきた位置座標と、選択ボタン２０５が表示される座標とが一致する場合に、選択ボタン２０５が選択されたと認識して、選択ボタン２０５に関連付けられた処理を実行する。
【００１９】
図２では、ＮＦＣユニット１０７の近傍に選択ボタン２０５が表示される。この場合、ユーザが認証処理のために認証カード２０４をＮＦＣユニット１０７に近接させると、タッチパネル１０４が、ＮＦＣユニット１０７が認証カード２０４からデータを読み取る前に、タッチされた位置座標を検知することがある。例えば認証カード２０４からのデータの読み取り前に、選択ボタン２０５がタッチされる。これはユーザの意図しない操作である。このような誤操作による処理を防止するために、入力装置１０１は、以下のような処理を行う。
【００２０】
＜第１実施形態＞
図３は、誤操作を防止するための入力制御処理を表すフローチャートである。ＮＦＣユニット１０７に認証カード２０４を近接させる際にタッチパネル１０４が位置座標を検知する場合、ＣＰＵ１０２に対して、短時間に連続して割り込みが発生する。そのためにＣＰＵ１０２は、タッチパネルコントローラ１０３から割込通知信号１１２を取得し、ＮＦＣユニット１０７から割込通知信号１１１を取得する。
【００２１】
ＣＰＵ１０２は、割り込みが発生しているか否かを検知し（Ｓ３０１）、割り込みが発生している場合（Ｓ３０１：Y）、ＮＦＣユニット１０７からの割り込みか否かを確認する（Ｓ３０２）。ＣＰＵ１０２は、割込通知信号１１１又は割込通知信号１１２の取得により、割り込みの発生を検知する。ＣＰＵ１０２は、取得した割込通知信号がＮＦＣユニット１０７からのもの（割込通知信号１１１）か否かにより、ＮＦＣユニット１０７からの割り込みか否かを確認する。
【００２２】
ＮＦＣユニット１０７からの割り込みの場合（Ｓ３０２：Y）、ＣＰＵ１０２は、ＮＦＣ処理を行う（Ｓ３０３）。ＮＦＣ処理では、ＣＰＵ１０２が、ＮＦＣユニット１０７により認証カード２０４から読み取られた認証データ等のデータを、バス１１４を介して取得し、通信ライン１０９を介してＭＦＰ本体１０８へ送信する。ＭＦＰ本体１０８は、ＣＰＵ１０２から送信された認証データ等のデータを用いて、ユーザ認証処理を行う。
【００２３】
ＮＦＣユニット１０７からの割り込みではなく、タッチパネル１０４からの割り込みの場合（Ｓ３０２：N）、ＣＰＵ１０２は、ＮＦＣウエイトフラグを参照する（Ｓ３０４）。ＮＦＣウエイトフラグは、その状態により後述の誤検知対策処理の実行を判断するためのオン／オフフラグであり、ＣＰＵ１０２内のＲＡＭ等のメモリ領域に格納される。ＮＦＣウエイトフラグの設定条件については後述する。
【００２４】
ＮＦＣウエイトフラグがオンの場合（Ｓ３０５：Y）、ＣＰＵ１０２は、内蔵するウエイトタイマを起動する（Ｓ３０６）。ウエイトタイマには、ユーザが待たされていると感じない所定の時間が設定されている。例えば、１０ミリ秒がウエイトタイマに設定される。ウエイトタイマに設定される時間は、ユーザが各種処理パラメータを設定可能なユーザモードにおいて設定可能である。
【００２５】
ウエイトタイマの起動後、ＣＰＵ１０２は、新たな割り込みが発生しているか否かを検知する（Ｓ３０７）。新たな割り込みが発生している場合（Ｓ３０７：Y）、ＣＰＵ１０２は、ＮＦＣユニット１０７からの割り込みか否かを確認する（Ｓ３０８）。ステップＳ３０７、Ｓ３０８の処理は、ステップＳ３０１、Ｓ３０２の処理と同様の処理である。
【００２６】
新たな割り込みが発生していない場合（Ｓ３０７：N）、又はＮＦＣユニット１０７からの割り込みではない場合（Ｓ３０８：N）、ウエイトタイマに設定された時間が経過したか否かを確認する（Ｓ３０９）。ウエイトタイマに設定された時間が経過していなければ（Ｓ３０９：N）、ＣＰＵ１０２は、再度、新たな割り込みが発生していないかを検知する（Ｓ３０７）。つまり、ＣＰＵ１０２は、ステップＳ３０６〜Ｓ３０９の処理により、ＮＦＣユニット１０７からの割り込みの発生をウエイトタイマに設定された時間待機する。ＮＦＣウエイトフラグは、その状態によりウエイトタイマに設定された時間待機するか否かを表すフラグとなる。
【００２７】
ウエイトタイマに設定された時間が経過していれば（Ｓ３０９：Y）、ＣＰＵ１０２は、ステップＳ３０１で検知した割り込みがタッチパネル１０４からの正式な入力による割り込みであると判断して、タッチパネル処理を行う（Ｓ３１０）。タッチパネル処理では、ＣＰＵ１０２が、タッチパネル１０４が検知した位置座標をバス１１４を介して取得し、通信ライン１０９を介してＭＦＰ本体１０８へ送信する。ＭＦＰ本体１０８は、ＣＰＵ１０２から送信された位置座標に対応する位置に表示されるオブジェクト（例えば図２の選択ボタン２０５）に関連付けられた処理を行う。なお、ステップＳ３０５でＮＦＣウエイトフラグがオフの場合も（Ｓ３０５：N）、ＣＰＵ１０２は、ステップＳ３０１で検知した割り込みがタッチパネル１０４からの正式な入力による割り込みであると判断して、タッチパネル処理を行う（Ｓ３１０）。ＮＦＣウエイトフラグがオフの場合にＣＰＵ１０２は、ＮＦＣウエイトフラグの確認後、ウエイトタイマに設定された時間待機することなくタッチパネル処理を行うことになる。
【００２８】
新たな割り込みがＮＦＣユニット１０７からの割り込みである場合（Ｓ３０８：Y）、ＣＰＵ１０２は、ステップＳ３０１で検知したタッチパネル１０４からの割り込みをクリアする（Ｓ３１１）。つまり、ＣＰＵ１０２は、ステップＳ３０１で検知したタッチパネル１０４からの割り込みが誤操作によるものであると判断して、この割り込みを無効にする。その後、ＣＰＵ１０２は、新たな割り込みによりＮＦＣ処理を行う（Ｓ３０３）。
【００２９】
このように、ＣＰＵ１０２は、タッチパネル１０４からの割り込みを検知した後、ウエイトタイマに設定された時間待機し、待機中にＮＦＣユニット１０７からの割り込みを検知すると、最初に検知したタッチパネル１０４からの割り込みを無効にする。これにより、最初に検知したタッチパネルからの割り込みが、ユーザによる意図しない操作であると判断されて、意図しない操作に応じた処理がキャンセルされる。このようなウエイトタイマの起動から次に検知した割り込みの判断までの処理（ステップＳ３０６〜Ｓ３１１）が誤検知対策処理となる。
【００３０】
ＮＦＣウエイトフラグは、必要に応じてオン／オフの状態の切り替えが可能なフラグである。ＮＦＣウエイトフラグの設定条件は、以下のようになる。例えば、入力装置１０１がＮＦＣユニット１０７を搭載しない場合、ＣＰＵ１０２は、ＮＦＣウエイトフラグをオフにする。また、ユーザがユーザモードによりＮＦＣユニット１０７を動作状態又は停止状態にすることで、ＣＰＵ１０２は、ＮＦＣウエイトフラグをオン／オフする。
【００３１】
また、図４に示すように、ユーザによる誤操作が生じる可能性のあるタッチパネル１０４上の領域４０１に、選択ボタン２０５のような処理に関連付けられたオブジェクトが表示されない場合もある。この場合にも、誤検知対策処理を行う必要がないために、ＣＰＵ１０２は、ＮＦＣウエイトフラグをオフにする。オブジェクトが表示される場合、ＣＰＵ１０２は、ＮＦＣウエイトフラグをオンにする。
【００３２】
操作画面は、ＭＦＰ本体１０８で生成される。誤操作の可能性のある領域に処理に関連付けられたオブジェクトが表示されない操作画面に画面が遷移する場合、通信ライン１０９を介してＭＦＰ本体１０８からＣＰＵ１０２に、誤操作の可能性が無いことを表す情報が通知される。ＣＰＵ１０２は、この情報に応じて、画面の遷移時にＮＦＣウエイトフラグをオフに設定する。
【００３３】
このように、必要に応じてＮＦＣウエイトフラグの切り替えることで、誤検知対策処理を実行するか否かを切り替えることができる。
【００３４】
＜第２実施形態＞
図４では、ユーザによる誤操作が生じる可能性のあるタッチパネル１０４上の領域４０１に、処理に関連付けられたオブジェクトが表示されるか否かでＮＦＣウエイトフラグのオン／オフを切り替える。オブジェクトが表示される場合には、ＮＦＣウエイトフラグがオフになる。つまり、オブジェクトが領域４０１に表示される場合、誤検知対策処理が実行されない。これに対して第２実施形態では、ユーザによる誤操作が生じる可能性のあるタッチパネル１０４上の領域４０１に処理に関連付けられたオブジェクトが表示される場合でも、必要に応じて誤検知対策処理を実行する。
【００３５】
図５は、ユーザによる誤操作が生じる可能性のあるタッチパネル１０４上の領域４０１に選択ボタン２０５のような処理に関連付けられたオブジェクトが表示される場合の操作画面の例示図である。ＭＦＰ本体１０８は、この操作画面への遷移時に、誤操作が生じる可能性のある座標についての情報（以下、「誤操作座標情報」という。）を、通信ライン１０９を介してＣＰＵ１０２に通知する。ＣＰＵ１０２は、通知された誤操作座標情報をＲＡＭ等のメモリ領域に格納する。誤操作座標情報は、領域４０１を表す。ＣＰＵ１０２は、誤操作座標情報に基づいて、誤操作による処理を防止するための処理を行う。
【００３６】
図６は、誤操作を防止するための入力制御処理を表すフローチャートである。第１実施形態の誤操作を防止するための処理（図３参照）と同じ処理については、同じステップ番号を付してある。同じ処理についての説明は省略する。
【００３７】
ＣＰＵ１０２は、検知した割り込みがタッチパネル１０４からの割り込みであり、ＮＦＣウエイトフラグがオンであれば（Ｓ３０５：Y）、タッチパネル１０４上のタッチされた位置座標をタッチパネルコントローラ１０３から取得する（Ｓ６０１）。ＣＰＵ１０２は、メモリ領域に格納している誤操作座標情報を参照して（Ｓ６０２）、タッチパネル１０４上の取得した位置座標が、誤操作座標情報に含まれるか否かを判断する（Ｓ６０３）。誤操作座標情報に含まれる場合（Ｓ６０３：Y）、ＣＰＵ１０２は、ウエイトタイマを起動して、ステップＳ３０６移行の処理を行う。誤操作座標情報に含まれない場合（Ｓ６０３：N）、ＣＰＵ１０２は、ステップＳ３０１で検知した割り込みがタッチパネル１０４からの正式な入力による割り込みであると判断して、タッチパネル処理を行う（Ｓ３１０）。
【００３８】
誤操作座標情報を用いることで、領域４０１以外の領域へのタッチ操作の場合に直ちにタッチパネル処理に移行することができるために、タッチパネル処理を迅速に行うことができる。また、領域４０１へのタッチ操作の場合には、第１実施形態と同様の処理を行うために、ユーザによるタッチパネル１０４への意図しない操作による処理を防止することができる。
【００３９】
本実施形態では、タッチパネル１０４の近傍にＮＦＣユニット１０７が配置される場合を説明したが、タッチパネル１０４の近傍に配置される入力インタフェースは、これに限られない。例えば、キーユニット１１３の操作によりタッチパネル１０４の誤操作が生じ易い場所に配置される場合であっても、上記の処理により、ユーザの意図しない操作による処理を防止することができる。また、本実施形態では、ＭＦＰの構成により説明を行ったが、入力装置１０１を入力装置として備える情報処理装置であれば、これに限られない。
【符号の説明】
【００４０】
１０１…入力装置、１０２…ＣＰＵ、１０３…タッチパネルコントローラ、１０４…タッチパネル、１０５…ＬＣＤコントローラ、１０６…ＬＣＤ、１０７…ＮＦＣユニット、１０８…ＭＦＰ本体
【図１】
2015179311.tif 000003
【図２】
2015179311.tif 000004
【図３】
2015179311.tif 000005
【図４】
2015179311.tif 000006
【図５】
2015179311.tif 000007
【図６】
2015179311.tif 000008